(57)【要約】【課題】ブロック板のジョイントによる連結角度を変化させて、多様な立体物を組み立てられる組立てブロックを提供する。【解決手段】平面形状が正三角形及び正方形のブロック板１と、少なくとも２方向に突出するプラグ１０を備えたジョイント２との組み合わせから成り、ジョイント２のプラグ１０をブロック板１に係合させて、ブロック板１同士を連結する組立てブロックにおいて、前記ブロック板１に、外周各辺に沿ってコーナー部３間に渡す棒状部４と、この棒状部４の内側に臨む空隙部５とを設け、ブロック板１の棒状部４にジョイント２のプラグ１０を嵌めると、空隙部５によりプラグ１０とブロック板１との干渉が回避され、プラグ１０の基端を繋ぐ結合部１１もブロック板１の外周に干渉せず、ブロック板１とジョイント２とが棒状部４を軸に相対的に回転可能となるようにする。【選択図】図６
2010014146.tif 000002
【特許請求の範囲】
【請求項１】
平面形状が正三角形及び正方形のブロック板(1)と、少なくとも２方向に突出するプラグ(10)を備えたジョイント(2)との組み合わせから成り、ジョイント(2)のプラグ(10)をブロック板(1)に係合させて、ブロック板(1)同士を連結する組立てブロックにおいて、
前記ブロック板(1)に、外周各辺に沿ってコーナー部(3)の間に渡す棒状部(4)と、この棒状部(4)の内側に臨む空隙部(5)とを設け、ブロック板(1)の棒状部(4)にジョイント(2)のプラグ(10)を嵌めると、空隙部(5)によりプラグ(10)とブロック板(1)との干渉が回避され、プラグ(10)の基端を繋ぐ結合部(11)もブロック板(1)の外周に干渉せず、ブロック板(1)とジョイント(2)とが棒状部(4)を軸に相対的に回転可能となるようにしたことを特徴とする組立てブロック。
【請求項２】
請求項１に記載の組立てブロックにおいて、前記ブロック板(1)の棒状部(4)を丸形断面とし、ジョイント(2)のプラグ(10)の内面に丸底の溝部(12)を設け、この溝部(12)にブロック板(1)の棒状部(4)が係合するようにしたことを特徴とする組立てブロック。
【請求項３】
請求項１又は２に記載の組立てブロックにおいて、前記ジョイント(2)のプラグ(10)と結合部(11)の幅を同一にし、フラグ(10)と結合部(11)の両側面が段差なく連続するようにしたことを特徴とする組立てブロック。
【発明の詳細な説明】
【技術分野】
【０００１】
この発明は、ブロック板をジョイントを介して順次連結することにより、三次元的な立体を組み立てることができる組立てブロックに関するものである。
【背景技術】
【０００２】
従来、本出願人は、下記特許文献１に記載した発明に基づいて、図９に示すように、平面形状が正方形及び正三角形のブロック板５１と、このブロック板５１同士を連結するジョイント５２との組み合わせから成るプラスチック製の組立てブロックを提供しており、このような組立てブロックが流通している。
【０００３】
このブロック板５１の周囲各辺には、窪んだ部分に薄板部５３が形成され、薄板部５３には突条５３ａが設けられている。ジョイント５２には、二股状のプラグ５４が少なくとも二方向へ向けて突設されると共に、プラグ５４の内面には溝部５４ａが設けられ、プラグ５４の結合部から両側へ角柱状の側延部５５が張り出している。
【０００４】
このようなブロック板５１同士を連結する際、ブロック板５１の薄板部５３にジョイント５２のプラグ５４を嵌めると、突条５３ａが溝部５４ａに係合し、側延部５５がブロック板５１の外周面に当接して、連結状態を安定させる。
【０００５】
ジョイント５２には連結態様に応じて種類があり、図示のように、プラグ５４が同一平面で二方向に突出する基本的なもののほか、直交する二方向に突出するもの、直交する三方向に突出するもの、１２０°の角度で二方向に突出するもの、プラグ５４の基端間の距離が大きなものなどが用意されている。
【０００６】
【特許文献１】特許第３２２１６３７号公報
【発明の開示】
【発明が解決しようとする課題】
【０００７】
しかしながら、上記のような組立てブロックでは、ブロック板の連結角度が使用するジョイントによって限定されるため、多種類のジョイントを用意しても、組み立てられる形状には制約がある。
【０００８】
そこで、この発明は、ブロック板のジョイントによる連結角度を変化させて、多様な立体物を組み立てられる組立てブロックを提供することを課題とする。
【課題を解決するための手段】
【０００９】
上記のような課題を解決するため、この発明は、平面形状が正三角形及び正方形のブロック板と、少なくとも２方向に突出するプラグを備えたジョイントとの組み合わせから成り、ジョイントのプラグをブロック板に係合させて、ブロック板同士を連結する組立てブロックにおいて、前記ブロック板に、外周各辺に沿ってコーナー部の間に渡す棒状部と、この棒状部の内側に臨む空隙部とを設け、ブロック板の棒状部にジョイントのプラグを嵌めると、空隙部によりプラグとブロック板との干渉が回避され、プラグの基端を繋ぐ結合部もブロック板の外周に干渉せず、ブロック板とジョイントとが棒状部を軸に相対的に回転可能となるようにしたのである。
【００１０】
また、前記ブロック板の棒状部を丸形断面とし、ジョイントのプラグの内面に丸底の溝部を設け、この溝部にブロック板の棒状部が係合するようにしたのである。
【００１１】
さらに、前記ジョイントのプラグと結合部の幅を同一にし、フラグと結合部の両側面が段差なく連続するようにしたのである。
【発明の効果】
【００１２】
この発明に係る組立てブロックでは、ブロック板とジョイントとを相対回転させることにより、ブロック板同士の連結角度を自由に変化させることができるので、多様な立体物を組み立てることができる。また、従来の組立てブロックとの互換性が確保され、組立ての多様性を広げることができる。
【発明を実施するための最良の形態】
【００１３】
以下、この発明の実施形態を添付図面に基づいて説明する。
【００１４】
この組立てブロックは、図１及び図２に示すようなブロック板１と、図３に示すようなジョイント２とから構成され、これらは、射出成形等により所定形状に成形される。ブロック板１には、図１に示す平面形状が正三角形のものと、図２に示す平面形状が正方形のものとがあり、これらの一辺の長さは等しくなっている。
【００１５】
図１及び図２に示すブロック板１は、各頂点付近に比較的肉厚のあるコーナー部３を有し、外周各辺に沿ってコーナー部３の間に丸形断面の棒状部４が渡され、この棒状部４の内側に臨んで空隙部５が設けられている。
【００１６】
なお、正三角形のブロック板１では、棒状部４の内側は完全に抜かれているが、正方形のブロック板１では、４つのコーナー部３を繋ぐ中板部６が設けられている。
【００１７】
また、各ブロック板１には、射出成形の樹脂注入ゲート痕を没入させる凹所７及び離型ピンを挿入する有底穴８が相反する面に設けられている。
【００１８】
この凹所７及び有底穴８は、正三角形のブロック板１ではコーナー部３に位置し、正方形のブロック板１では中板部６に位置している。なお、正三角形のブロック板１に設けられた３つの凹所７のうち、２つはデザイン上のバランスを考慮したダミーである。
【００１９】
また、正方形のブロック板１には、対向する２辺に沿って２本の溝部９が設けられ、この溝部９により、図９に示す従来の組立てブロックのジョイント５２を後述のジョイント２と同様に嵌めたとき、ジョイント５２の回転に伴う側延部５５とブロック板１との干渉が回避されて、回転可能な範囲が拡大される。
【００２０】
図３の各図に示すジョイント２は、少なくとも２方向へ延びるプラグ１０を有し、プラグ１０は、先端が開口した二股形状となっている。プラグ１０の幅は、ブロック板１の各辺の棒状部４の長さより少し小さく、プラグ１０の基端を繋ぐ結合部１１の幅は、プラグ１０の基端と同一の幅に形成され、これらの両側面が段差なく連続している。
【００２１】
ジョイント２の各プラグ１０は、先端の挿入口の間隔がブロック板１の棒状部４の直径よりも少し小さく、基端寄りの内面に棒状部４の直径にほぼ対応する丸底の溝部１２が設けられている。結合部１１には、射出成形の樹脂注入ゲート痕を没入させる凹所１３と、図示省略したが離型ピンを挿入する有底穴とが相反する面に設けられている。
【００２２】
これらのジョイント２のうち、図３（ａ）は、プラグ１０が同一平面で二方向に突出する基本形式のものを示し、図３（ｂ）は、基本形式の結合部１１を長くした形式のものを示す。図３（ｃ）、（ｄ）、（ｅ）は、プラグ１０がそれぞれ直交する二方向、三方向及び四方向に突出した形式のものを示す。
【００２３】
このような組立てブロックにおいて、ブロック板１同士をジョイント２により連結するには、図４に示すように、ブロック板１の棒状部４にジョイント２のプラグ１０を嵌め、棒状部４を溝部１２に係合させる。このとき、プラグ１０は、棒状部４に押し広げられて弾性変形しつつ空隙部５に進入し、棒状部４と溝部１２との係合に伴い復元する。
【００２４】
この連結状態では、図５に示すように、ブロック板１とジョイント２とが棒状部４を軸に相対回転可能となる。
【００２５】
この回転に際しては、空隙部５によりプラグ１０とブロック板１との干渉が回避され、結合部１１もブロック板１に干渉せず、図４、図６及び図７に示すように、ブロック板１同士の連結角度を０°から１８０°に至るまで自由に変化させることができる。
【００２６】
そして、図８に示す作例のように、正三角形及び正方形のブロック板１を適宜組み合わせ、自由な角度で連結して、多様な面構成の立体を組み立てることができる。
【００２７】
また、従来の組立てブロックのジョイント５２によりブロック板１同士を連結することもでき、図９で示した従来のブロック板５１を組み込むこともできるので、従来の組立てブロックのユーザーがこの発明に係る組立てブロックを追加して購入することにより、組み立てられる立体の多様性をさらに広げることができる。
【図面の簡単な説明】
【００２８】
【図１】この発明に係る正三角形のブロック板の（ａ）斜視図、（ｂ）平面図、（ｃ）Ａ−Ａ断面図
【図２】同上の正方形のブロック板の（ａ）斜視図、（ｂ）平面図、（ｃ）Ｂ−Ｂ断面図
【図３】同上のジョイントの（ａ）平型基本形式、（ｂ）平型延長形式、（ｃ）直交二方向形式、（ｄ）直交三方向形式、（ｅ）直交四方向形式を示す斜視図
【図４】同上のブロック板のジョイントを介した連結状態を示す斜視図
【図５】同上のブロック板の回動状態を示す概略断面図
【図６】同上のブロック板の連結角度を変化させる状態を示す斜視図
【図７】同上の連結角度を１８０°とした状態を示す斜視図
【図８】同上の組立てブロックの作例を示す斜視図
【図９】従来の組立てブロックを示す斜視図
【符号の説明】
【００２９】
１  ブロック板
２  ジョイント
３  コーナー部
４  棒状部
５  空隙部
６  中板部
７  凹所
８  有底穴
９  溝部
１０  プラグ
１１  結合部
１２  溝部
１３  凹所
【図１】
2010014146.tif 000003
【図２】
2010014146.tif 000004
【図３】
2010014146.tif 000005
【図４】
2010014146.tif 000006
【図５】
2010014146.tif 000007
【図６】
2010014146.tif 000008
【図７】
2010014146.tif 000009
【図８】
2010014146.tif 000010
【図９】
2010014146.tif 000011